(57)【特許請求の範囲】
【請求項１】
フレーム（２２）と略矩形状の底板（２４）との間に配置され、折畳み自在な上側板部（３０）と下側板部（３２）とからなる側板（２６）を備えるとともに、この側板（２６）を構成する前記上側板部（３０）と前記下側板部（３２）との少なくとも両端部がヒンジ（３４）、（３４）を介して回動自在に連結されており、さらに、上端を前記フレーム（２２）に揺動自在に支承した煽り板（２８）で端部を閉塞するようにした折畳みコンテナにおいて、
前記一方のヒンジ（３４）と前記他方のヒンジ（３４）との間における、前記上側板部（３０）及び下側板部（３２）のいずれか一方の端面に、頂部に凹溝（１３）を形成した一対の略凸状の軸受け部（１５）を所定間隔離間して外側に突出するように形成するとともに、これら一対の略凸状の軸受け部（１５）,（１５）間に、当該略凸状の軸受け部（１５）より背の低い回動片外れ防止板（１７）を同方向に突出させて形成し、
さらに、前記上側板部（３０）及び前記下側板部（３２）のいずれか他方の端面に、前記凹溝（１３）内に軸部（２５）を回転自在に支持する一対の回動片（１９）を、前記回動片外れ防止板（１７）を囲むように配置される回動用凹所（２１）を介して前記軸受け部（１５）に対面させて両側に対向するように配設したことを特徴とする折畳みコンテナ。
【請求項２】
前記軸受け部（１５）の両端部に、テーパ面（２３）を設けたことを特徴とする請求項１に記載の折畳みコンテナ。
【請求項３】
前記回動片外れ防止板（１７）の幅（Ｓ）は、前記回動片（１９）,（１９）間の距離（Ｐ）より、若干短く形成されていることを特徴とする請求項１に記載の折畳みコンテナ。
【請求項４】
前記凹溝（１３）の入口（１３ａ）は、内方の空所に比べて狭く形成されていることを特徴とする請求項１に記載の折畳みコンテナ。
【発明の詳細な説明】
【０００１】
【発明の属する技術分野】
本発明は、折畳みコンテナに関する。
【０００２】
【従来の技術】
一般に、折畳みコンテナとして、矩形枠状のフレームと平板状の底板との間に、ヒンジを介して内方に折畳み自在な上側板部と下側板部とからなり側部を閉塞する一対の側板と、上端を前記フレームに揺動自在に支承して端部を閉塞する一対の煽り板と、を配置するものが知られている（例えば、特開平１１−３５０３４号公報参照）。
【０００３】
上記公報の折畳みコンテナでは、図６、図７、図８に示したように、上側板部５と下側板部６とに、略円柱状の連結軸部８ａと、この連結軸部８ａの両端に連設されて連結軸部８ａから遠ざかる方向に先細状となるように傾斜したテーパ状凸部８ｃ、８ｄとが一体成形されている。さらに、連結軸部８ａと対応する位置に、この連結軸部８ａを回転自在に支持する断面Ｃ字状の軸受け部８ｂが形成され、さらにこの軸受け部８ｂの両端に連設されて上記テーパ状凸部８ｃ、８ｄと同方向に傾斜したテーパ状凹部８ｅ、８ｆとが一体成形されている。
【０００４】
そして、この折畳みコンテナでは、上側板部５の連結軸部８ａを下側板部６の軸受け部８ｂに、下側板部６の連結軸部８ａを上側板部５の軸受け部８ｂに、それぞれ嵌め合わすことによって、両者を直線状に立て起こしたり、また二つ折りに折畳んだりすることが可能に一体に連結されている。
【０００５】
【発明が解決しようとする課題】
ところで、上記公報に開示された折畳みコンテナにおける側板の連結構造では、連結軸部８ａと軸受け部８ｂとから構成される凹凸連結部は、一方の棒状の連結軸部８ａを他方の断面Ｃ形状の軸受け部８ｂに圧入する構造であるため、これらが多数配列された従来例は、組み付けが困難になる。
【０００６】
また、従来の連結構造では、連結軸部８ａを軸受け部８ｂ内に嵌め込んだときに、連結軸部８ａの引っ掛かり量によって、両者の結合力が決定されるので、連結軸部８ｂの嵌め込み量が少ないと、使用している途中で外れてしまうという問題があった。
本発明はこのような実状に鑑み、側板を組み付けた場合に、その係合が外れ難い折畳みコンテナを提供することを目的としている。
【０００７】
【課題を解決するための手段】
上記目的を達成するための、本発明に係る折畳みコンテナは、
フレーム２２と略矩形状の底板２４との間に配置され、折畳み自在な上側板部３０と下側板部３２とからなる側板２６を備えるとともに、この側板２６を構成する前記上側板部３０と前記下側板部３２との少なくとも両端部がヒンジ３４、３４を介して回動自在に連結されており、さらに、上端を前記フレーム２２に揺動自在に支承した煽り板２８で端部を閉塞するようにした折畳みコンテナにおいて、
前記一方のヒンジ３４と前記他方のヒンジ３４との間における、前記上側板部３０及び下側板部３２のいずれか一方の端面に、頂部に凹溝１３を形成した一対の略凸状の軸受け部１５を所定間隔離間して外側に突出するように形成するとともに、これら一対の略凸状の軸受け部１５,１５間に、当該略凸状の軸受け部１５より背の低い回動片外れ防止板１７を同方向に突出させて形成し、さらに、前記上側板部３０及び前記下側板部３２のいずれか他方の端面に、前記凹溝１３内に軸部２５を回転自在に支持する一対の回動片１９を、前記回動片外れ防止板１７を囲むように配置される回動用凹所２１を介して前記軸受け部１５に対面させて両側に対向するように配設したことを特徴としている。
【０００９】
係る構成による本発明によれば、組み付けた後は、中央に配置される回動片外れ防止板の作用により、側板の外れが防止される。
ここで、前記軸受け部（１５）の両端部に、テーパ面（２３）を設けることが好ましい。
このように、テーパ面（２３）を設ければ、側板の連結を容易に行なうことができる。
【００１０】
また、前記回動片外れ防止板（１７）の幅（Ｓ）は、前記回動片（１９）,（１９）間の距離（Ｐ）より、若干短く形成されていることが好ましい。このような構成であれば、使用時のように側板を直線状に立て起こした場合に、回動片外れ防止板（１７）が回動片（１９）の移動を防止するので、側板の外れを防止することができる。
【００１１】
さらに、前記凹溝（１３）の入口（１３ａ）は、内方の空所に比べて狭く形成されていることが好ましい。
このような構成であれば、回動片（１９）を軸受け部（１５）に嵌め合わせた後の、回動片（１９）の外れを防止することができる。
【００１２】
【発明の実施の形態】
以下、図面を参照しながら、本発明の一実施例について説明する。
図１は本発明の一実施例に係る折畳みコンテナを簡略に示したものである。
折畳みコンテナ２０は、矩形枠状のフレーム２２と、矩形平板状の底板２４と、このフレーム２２と底板２４の周縁部との間に配置されたそれぞれ一対の側板２６及び煽り板２８とから主に構成されている。
【００１３】
前記各側板２６は、コンテナ２０の側部を閉塞するためのものであり、略同じ形状を有する矩形平板状の上側板部３０の上端は前記フレーム２２の長側側に、下側板部３２の下端は前記底板２４の長辺側の周縁部にそれぞれ回転自在に連結されているとともに、両者３０，３２は、その接合部の両側部に設けられたヒンジ３４，３４を介して内方に折畳み自在に連結されている。
【００１４】
一方、前記各煽り板２８は、コンテナ２０の端部を閉塞するためのものであり、矩形平板状に形成され、上端を前記フレーム２２の短辺側に内方に揺動自在に支持されている。
これにより、各側板２６をその上側板部３０と下側板部３２とを互いに重合させて折り込むとともに、各煽り板２８を前記各上側板部３０の上面に位置させつつ上方に揺動させることにより、コンテナ２０を平板状に折畳み、各側板２６をその上側板部３０と下側板部３２とが互いに同一平面となるよう伸展させるとともに、各煽り板２８を下方に揺動させることにより、箱状に組立ててコンテナとして使用できる状態にすることができる。
【００１５】
前記各上側板部３０の周縁部には、内方に開口し横断面コ字状の連続した膨出部３５が、各下側板部３２の周縁部にも、同じく内方に開口した横断面コ字状の連続した膨出部３６がそれぞれ一体に屈曲形成されている。
この各膨出部３５，３６は、それぞれ上側板部３０及び下側板部３２をその周縁部で補強するものである。
【００１６】
さらに、本実施例の折畳みコンテナでは、両端部のヒンジ３４，３４間に、図２、図３、図４に示したような連結構造を、上側板部３０と下側板部３２との間に、１箇所ないし２箇所採用することにより、これら上側板部３０と下側板部３２との間が互いに回転自在に支承されている。
すなわち、上側板部３０の会合端面には、この上側板部３０の外面３０ａより外側に突出して、一対の略凸状の軸受け部１５，１５が所定間隔離間して形成されている。また、この軸受け部１５の頂部には、凹溝１３，１３が高さ方向にそれぞれ形成され、この凹溝１３は、図５に示したように、その入口１３ａが内部空間３１に比べて幅が狭く形成されている。
【００１７】
また、これら一対の軸受け部１５間には、軸受け部１５の高さより背の低い回動片外れ防止板１７が、上側板部３０の外面３０ａより外側に突出して形成されている。
一方、上側板部３０に連結される下側板部３２の会合端面には、回動片外れ防止板１７の回動を回避するための回動用凹所２１が形成され、さらにこの回動用凹所２１の両側に、一対の回動片１９が外面３０ａより外側に突出して設けられている。このように、一対の軸受け部１５の内側に対向して配置される一対の回動片１９には、外側に軸部２５が突設されている。そして、この軸部２５は、それぞれ軸受け部１５の凹溝１３内に回動可能に支持されている。
【００１８】
軸受け部１５間に形成された回動片外れ防止板１７の端面と、回動片１９の端面との間には、若干の隙間が確保されている。すなわち、図３（Ｂ）に示したように、回動片１９間の内側端面間の距離Ｐは、回動片外れ防止板１７の外側端面間の幅Ｓよりも若干大きく形成されている。また、軸受け部１５の両側端面には、テーパ面２３，２３が形成されている。
【００１９】
上側板部３０と下側板部３２とがこのような連結構造で連結された折畳みコンテナ２０では、コンテナを使用状態となるように、図２および図３（Ａ），（Ｂ）に示したように、側板２６と煽り板２８とを立て起こすと、一対の回動片１９は一対の軸受け部１５と回動片外れ防止板１７との間の隙間内に配置され、しかも、この回動片外れ防止板１７の両側部の作用により、回動片１９の図２において左右方向への移動が防止されるので、軸部２５が凹溝１３から左右方向に外れることはない。また、凹溝１３は、上記したように入口１３ａの幅が内部空間３１に比べて狭く形成されているので、一端凹溝１３内に挿入された軸部２５は、図２において上下方向にも外れることが防止される。
【００２０】
一方、上側板部３０と下側板部３２とを、図４（Ａ），（Ｂ）に示したように、上側板部３０と下側板部３２とを二つに重ね合わすように折り畳むと、回動片１９は回動片外れ防止板１７と軸受け部１５との間の隙間から外れ、両者は背中合わせに折り返される。このとき、一対の回動片１９間には、回動片外れ防止板１７の回動を回避するための回動用凹所２１が形成されているので、この回動片外れ防止板１７が邪魔になることもない。
【００２１】
このように、本実施例の折畳みコンテナ２０では、側板２６の少なくとも中央部が上記の連結構造で組みつけられているとともに、両端部にヒンジ３４が介在されているので、背が低くなるように折り畳んだり、真っ直ぐに立て起こしたりすることができる。また、軸部２５は入口１３ａの狭くなった部分から挿入された後は、広い空間内に収納されるので、結合力を一定に保つことができる。しかも、組み付けも容易である。
【００２２】
以上、本発明の一実施例について説明したが、本発明は上記実施例に何ら限定されない。例えば、上記実施例の折畳みコンテナでは、上記連結構造が中央部に一つ設けられているが、この連結構造は、２つ以上あっても良い。
【００２６】
【発明の効果】
本発明に係る折畳みコンテナによれば、側板を組み付けたときに中央の回動片外れ防止板が回動片の横移動を防止するので、側板の組み付けが外れることはない。
【図面の簡単な説明】
【図１】  図１は本発明の一実施例に係る折畳みコンテナの概略斜視図である。
【図２】  図２は同実施例による要部の拡大斜視図である。
【図３】  図３（Ａ）は、図１に示した折畳みコンテナを立て起こしたときの側板部の断面図、図３（Ｂ）は、図３（Ａ）の矢印Ｘ方向の矢視図である。
【図４】  図４（Ａ）は、図１に示した折畳みコンテナを折り畳んだときの側板部の断面図、図４（Ｂ）は、図４（Ａ）の矢印Ｘ方向の矢視図である。
【図５】  図５は一実施例による折畳みコンテナの軸受け部の凹溝の構造を拡大して示す破断斜視図である。
【図６】  図６は従来の折畳みコンテナの側板を構成する上側板部の正面図である。
【図７】  図７は従来の折畳みコンテナの側板を構成する下側板部の正面図である。
【図８】  図８は図６に示した上側板部と図７に示した下側板部との組み付け状態を示す分解斜視図である。
【符号の説明】
１３ 凹溝
１５ 軸受け部
１７ 回動片外れ防止板
１９ 回動片
２０ 折畳みコンテナ
２１ 回動用凹所
２２ フレーム
２３ テーパ面
２４ 底板
２５ 軸部
２６ 側板
３０ 上側板部
３２ 下側板部
【図１】
0004694052.tif 000002
【図２】
0004694052.tif 000003
【図３】
0004694052.tif 000004
【図４】
0004694052.tif 000005
【図５】
0004694052.tif 000006
【図６】
0004694052.tif 000007
【図７】
0004694052.tif 000008
【図８】
0004694052.tif 000009